(57)【要約】【課題】妊娠初期から臨月にかけて大きく変化する妊婦の体型に追従して常に良好なフィット感およびスタイリッシュな見栄えを与えることができる新規な構成のマタニティウエアを提供する。【解決手段】妊娠初期の妊婦が着用したときにその肩中心線より前に肩線１５を位置させると共に前身頃１１を後身頃１２より長くしてパターンＸを起こして裁断し、縫製してマタニティウエア１０を作製する。前裾１１ａが後裾１２ａより下がった妊娠初期の着衣状態から、腹囲が大きくなるにつれて徐々に肩線が後方に移動していって肩中心と略一致したときに前裾と後裾とが略同一高さとなる。さらに、妊娠初期の妊婦が着用したときにその脇中心線より全体に後方にずらして脇線１６を位置させたパターンとし、臨月時に想定される腹囲となったときに脇線が着用者の脇中心線に略一致するように設計することが好ましい。【選択図】図１
0003121483.tif 000002
【実用新案登録請求の範囲】
【請求項１】
妊娠初期の妊婦が着用したときにその肩中心線より前に肩線を位置させると共に前身頃を後身頃よりやや長くしてパターンを起こして裁断し、縫製したものであって、前裾が後裾より下がった妊娠初期の着衣状態から腹囲が大きくなるにつれて徐々に肩線が後方に移動していって肩中心と略一致したときに前裾と後裾とが略同一高さとなるようにしたことを特徴とするマタニティウエア。
【請求項２】
妊娠初期の妊婦が着用したときにその脇中心線より全体に後方にずらして脇線を位置させて前記パターンが形成され、臨月時に想定される腹囲となったときに脇線が着用者の脇中心線に略一致するようにしたことを特徴とする、請求項1記載のマタニティウエア。
【請求項３】
バストライン近くと腹囲近くにそれぞれ少なくとも一つのダーツが設けられたことを特徴とする、請求項１または２記載のマタニティウエア。
【考案の詳細な説明】
【技術分野】
【０００１】
本考案は、妊娠初期から臨月に至る間の妊婦の体型変化に追従して常に良好なフィット感が得られるマタニティウエアに関する。
【背景技術】
【０００２】
従来のマタニティウエアは、普通体用のウエアと同様に、着用者の肩の中心線上に肩線が位置するようにパターン（型紙）を起こして裁断し、縫製するのが通例であった。
【考案の開示】
【考案が解決しようとする課題】
【０００３】
ところが、妊婦の腹囲は、妊娠前の普通体型時には６０ｃｍ前後であるのが臨月の頃には１１０ｃｍ前後まで大きくなるので、最初から肩線を肩中心に合わせてしまうと、腹囲が大きくなるにつれて徐々に肩線が背中側に後退し、上着やスカートの前裾が上に持ち上がってしまい、見栄えが悪くなるという問題があった。
【０００４】
また、脇線についても普通体用のウエアと同様に脇中心に合わせていたため、臨月時の腹囲を想定して腹囲や裾部分にゆとりを持たせたマタニティウエアを妊娠初期などに着用すると、ゆるみ分が横に大きく拡がった着衣状態となり、見栄えが悪いという問題があった。
【０００５】
したがって、本考案の課題は、これらの従来技術の欠点を解消し、妊娠初期から臨月にかけて大きく変化する妊婦の体型に追従して常に良好なフィット感およびスタイリッシュな見栄えを与えることができる新規な構成のマタニティウエアを提供することにある。
【課題を解決するための手段】
【０００６】
この課題を解決するため、請求項１に係る本考案のマタニティウエアは、妊娠初期の妊婦が着用したときにその肩中心線より前に肩線を位置させると共に前身頃を後身頃よりやや長くしてパターンを起こして裁断し、縫製したものであって、前裾が後裾より下がった妊娠初期の着衣状態から腹囲が大きくなるにつれて徐々に肩線が後方に移動していって肩中心と略一致したときに前裾と後裾とが略同一高さとなるようにしたことを特徴とする。
【０００７】
請求項２に係る本考案は、請求項１に係るマタニティウエアであって、妊娠初期の妊婦が着用したときにその脇中心線より全体に後方にずらして脇線を位置させて前記パターンが形成され、臨月時に想定される腹囲となったときに脇線が着用者の脇中心線に略一致するようにしたことを特徴とする。
【０００８】
請求項３に係る本考案は、請求項１または２に係るマタニティウエアであって、バストライン近くと腹囲近くにそれぞれ少なくとも一つのダーツが設けられたことを特徴とする。
【考案の効果】
【０００９】
このマタニティウエアは、妊娠初期の妊婦が着用したときにその肩中心線より前に肩線を位置させると共に前身頃を後身頃よりやや長くしてパターンを起こして裁断・縫製されるので、妊娠初期の着衣状態では前裾が後裾よりやや下がって見えるが、バストライン近くや腹囲近くにダーツを取ることにより前身頃が立体的になり、見た目に気になるほどではなくなる。また、妊婦の腹囲が大きくなるにつれて徐々に肩線が後方に移動していき、これが肩中心と略一致したときに前裾と後裾とが略同一高さとなる。したがって、従来の肩中心線に肩線を位置させたパターンから裁断・縫製されたマタニティウエアのように、腹囲が大きくなったときに前裾が上に持ち上がって見栄えが悪くなるようなことがない。
【考案を実施するための最良の形態】
【００１０】
以下に本考案によるマタニティウエアの好適な一実施形態について添付図面を参照して詳述する。この実施形態はワンピースないしチュニック形式のマタニティウエアに関し、そのパターンが図１に示されている。図１において、実線はこの実施形態によるマタニティウエアのパターンＸを示し、併せて、参考のために、従来のマタニティウエアのパターンＹが点線で示されている。
【００１１】
まず、従来のマタニティウエアのパターンＹについて説明すると、前身頃１と後身頃２は略同一の寸法を有しており、したがって、前後襟ぐり３ａ，３ｂおよび前後袖ぐり４ａ，４ｂも略同一寸法に対称的に設けられている。前身頃１と後身頃２の上端縁同士の縫い目となる肩線５は、妊娠初期の妊婦が着衣したときにその肩中心線に略合致する位置に設けられている。脇線６は、妊娠初期の妊婦が着衣したときにその脇中心線に略合致する位置に設けられている。符号７ａ，７ｂはウエストラインを示し、符号８ａ，８ｂは前身頃１のウエストライン７ａ，７ｂ下方に設けられたダーツ、符号９は前身頃１のバストラインに設けられたダーツである。
【００１２】
これと比較して、本実施形態のマタニティウエアのパターンＸについて説明すると、前身頃１１と後身頃１２とを境界付ける肩線１５は、妊娠初期の妊婦が着衣したときにその肩中心線より前方に位置するものとされていることから、前襟ぐり１３ａ，前袖ぐり１４ａより後襟ぐり１３ｂ，後袖ぐり１４ｂの方が長くなっている。脇線１６は、妊娠初期の妊婦が着衣したときにその脇中心線より若干に後ろ側に位置するように設けられている。、また、前身頃１１の方が後身頃１２より長く形成されている。符号１７ａ，１７ｂはウエストラインを示し、符号１８ａ，１８ｂは前身頃１１のウエストライン１７ａ，１７ｂの下方に設けられたダーツ、符号１９は前身頃１１のバストラインに設けられたダーツである。ダーツ１８ａ，１８ｂは従来パターンＹにおけるダーツ８ａ，８ｂと略同位置にあるが、バストラインのダーツ１９は従来パターンＹにおけるバストラインのダーツ９よりも若干低い位置に設けられている。
【００１３】
このようなパターンＸで裁断・縫製したマタニティウエア１０を、腹囲が比較的小さい妊娠初期の妊婦が着用した状態が図２に、腹囲が大きくなった臨月近くの妊婦が着用した状態が図３に、それぞれ実線で示されている。また、これら図２および図３には、従来パターンＹで裁断・縫製したマタニティウエア１０’の着衣状態がそれぞれ点線で示されている。
【００１４】
これら図から明らかなように、腹囲が比較的小さい妊娠初期の妊婦が従来パターンＹで裁断・縫製したマタニティウエア１０’を着用すると、肩線５が肩中心に略合致しており、且つ、前身頃１と後身頃２が略同一長さに形成されているので、前裾縁１ａと後裾縁２ａとが略同一高さに位置する（図２点線）が、妊婦の腹囲が大きくなっていくと徐々に肩線５が背中側に後退していくため、前裾縁１ａが上に持ち上がったような着衣状態となって、特に横から見たときに腹囲が大きくなったことが目立ってしまう（図３点線）。また、脇線６が妊娠初期の妊婦が着衣したときにその脇中心線に略合致する位置に設けられているので、腹囲近くの部分が横方向に大きく拡がってだぶついた着衣状態となり、見栄えが悪いものとなる。
【００１５】
これに対して、パターンＸで裁断・縫製した本実施形態のマタニティウエア１０は、肩線１５が肩中心より前方に位置しており、且つ、前身頃１１の方が後身頃１２より長く形成されているので、これを妊娠初期の妊婦が着衣したときには前裾縁１１ａが後裾縁１２ａよりも下がった位置にある（図２）が、妊婦の腹囲が大きくなるにつれて徐々に肩線１５が後方に移動していって、これが肩中心と略一致したときに前裾と後裾とが略同一高さとなる（図３）ので、腹囲の大きさが目立たない。また、臨月時の腹囲に対応するために前身頃１１の腹囲近くの部分に大きなゆとりを持たせているが、バストラインのダーツ１９が脇部分でだぶつきを調整して腹囲変化に対応し、さらに、脇線６が着用者の脇線から若干後ろ側にずれた位置にあるので、前方のゆとりが後方に分散されて、横方向に大きく拡がることがなく、だぶつき感のないスタイリッシュな着衣状態が得られる（図２）。
【産業上の利用可能性】
【００１６】
本考案は、特にワンピースやチュニック形式のマタニティウエアとして有効に利用することができる。
【図面の簡単な説明】
【００１７】
【図１】本考案の一実施形態に係るマタニティウエアのパターンを従来のマタニティウエアのパターンと比較して示すパターン展開図である。
【図２】このマタニティウエアを妊娠初期の妊婦が着用した状態を従来のマタニティウエアと比較して示す第一の着用状態図である。
【図３】このマタニティウエアを臨月時の妊婦が着用した状態を従来のマタニティウエアと比較して示す第二の着用状態図である。
【符号の説明】
【００１８】
１０  マタニティウエア
１１  前身頃
１２  後身頃
１３ａ  前襟ぐり
１３ｂ  後襟ぐり
１４ａ  前袖ぐり
１４ｂ  後袖ぐり
１５  肩線
１６  脇線
１７ａ，１７ｂ  ウエストライン
１８ａ，１８ｂ  ウエストライン下方のダーツ
１９  バストラインのダーツ
Ｘ  本考案実施形態のマタニティウエアのパターン
Ｙ  従来のマタニティウエアのパターン
【図１】
0003121483.tif 000003
【図２】
0003121483.tif 000004
【図３】
0003121483.tif 000005